(57)【要約】【課題】  従来のスロットマシンでは、バケットから跳ね返ったメダルがリアスピーカのフレームの開口部からフレームと振動板との間に侵入してしまうおそれがあった。【解決手段】  仕切板５０の下方のキャビネット背面部には、開口部５５ａを有するフレーム５５が振動板５７を覆って構成されたリアスピーカ４０，４０が、開口部５５ａがバケット５３に向けられた状態でバケット５３の上部近傍に設置されている。フレーム５５の周囲には、メダルの大きさよりも小さい隙間５８が形成されている。メダルセレクタ４５を通過してバケット５３内に落下したメダルが、フレーム５５の開口部５５ａに向けて跳ね返っても、被覆部材５６が開口部５５ａを覆うことにより形成される隙間５８を通過することができずに跳ね返される。【選択図】  図２
2006061531.tif 000002
【特許請求の範囲】
【請求項１】
遊技に用いられる遊技媒体を貯蔵する貯蔵部と、この貯蔵部近傍に設けられ，遊技に関する音を出力するスピーカとを備えた遊技機において、
前記スピーカは、振動部を覆うと共に開口部を有するフレームと、前記開口部の少なくとも一部を覆う被覆部とを備えていることを特徴とする遊技機。
【請求項２】
前記開口部は、前記被覆部に覆われたときに、前記遊技媒体の大きさよりも小さい隙間を形成することを特徴とする請求項１に記載の遊技機。
【発明の詳細な説明】
【技術分野】
【０００１】
本発明は、遊技媒体を貯蔵する貯蔵部と、この貯蔵部近傍に設けられたスピーカとを備えて構成される遊技機に関するものである。
【背景技術】
【０００２】
従来、この種の遊技機としては、例えば、下記の特許文献１に開示されているスロットマシンがある。このスロットマシンのキャビネット前面の裏側にはフロントスピーカが設置されており、キャビネット背面の内側にはリアスピーカが設置されている。遊技媒体であるメダルが遊技者によって投入口に投入されてスタートレバーが操作されると、各リールが一斉に回転する。その後、ストップボタンが操作され、ビッグボーナスといったシンボル組合せが入賞ライン上に成立すると、ボーナス表示ランプによる演出が行われると共に、各スピーカから所定パターンの効果音が放出される。
【０００３】
一般的に、上記のようなスロットマシンに使用されているスピーカは、音波を空間に放射する振動板（コーン）の前面からだけでなく、後面からも効果音が空間に放出されるように、振動板の後面を覆うフレームに開口部が形成されている。
【特許文献１】特開平９−２２０３１３号公報（段落[００１８]〜[００２３]）
【発明の開示】
【発明が解決しようとする課題】
【０００４】
上記の特許文献１に示すスロットマシンにおいては、リアスピーカがキャビネット内部のメダル貯蔵部（バケット）近傍に設けられ、そのフレーム開口部がバケットに向いている。このため、投入口から投入されたメダルがメダルセレクタを通ってバケット内に落下した際などに、メダルがバケットから跳ね返って、跳ね返ったメダルがリアスピーカのフレーム開口部からフレームと振動板との間に侵入してしまうおそれがあった。このようにメダルがスピーカ内部に侵入すると、メダルが振動板の振動を阻害して、正常な効果音が発生されなくなってしまう虞がある。
【課題を解決するための手段】
【０００５】
本発明はこのような課題を解決するためになされたもので、遊技に用いられる遊技媒体を貯蔵する貯蔵部と、この貯蔵部近傍に設けられ，遊技に関する音を出力するスピーカとを備えた遊技機において、スピーカは、振動部を覆うと共に開口部を有するフレームと、開口部の少なくとも一部を覆う被覆部とを備えていることを特徴とする。
【０００６】
この構成によれば、遊技媒体が貯蔵部に落下したときなどに、遊技媒体が貯蔵部近傍に設けられたスピーカのフレームに跳ね返っても、遊技媒体は被覆部によって跳ね返される。このため、従来のように、跳ね返った遊技媒体がフレームの開口部からフレームと振動部との間に侵入することがなくなり、スピーカからは常に正常な効果音が発生されるようになる。
【０００７】
また、本発明は、開口部が、被覆部に覆われたときに、遊技媒体の大きさよりも小さい隙間を形成することを特徴とする。
【０００８】
この構成によれば、被覆部が開口部を覆うことにより形成される隙間部分に跳ね返っても、この隙間からフレームと振動部との間に遊技媒体が侵入することはない。また、振動部から放出される効果音は、上記の隙間から振動部の後面側の空間にも放出される。このため、スピーカからは常に正常な効果音が振動部の前面側および後面側の双方から放出される。
【発明の効果】
【０００９】
本発明による遊技機によれば、上記のように、跳ね返った遊技媒体がフレームの開口部からフレームと振動部との間に侵入することがなくなる。このため、スピーカからは常に正常な効果音が発生されるようになる。
【発明を実施するための最良の形態】
【００１０】
次に、本発明を実施するための最良の形態について説明する。
【００１１】
図１は、本実施形態によるスロットマシン１の外観を示す正面図である。スロットマシン１の前面ドア２の正面中央部には、遊技に関する情報や演出画像を表示する透明な液晶表示パネル３が設けられている。液晶表示パネル３の内側には３個のリール４，５，６が回転自在に設けられている。各リール４〜６の外周面には複数種類の図柄からなる図柄列が描かれており、これらの各図柄は前面ドア２に形成された表示窓７，８，９を通してそれぞれ３個ずつ視認される。これらの表示窓７〜９には、図示しない入賞ラインが設けられている。また、表示窓７〜９の下方右側には、遊技媒体であるメダルが投入されるメダル投入口１０が設けられている。
【００１２】
表示窓７〜９の左側には、上部から、ボーナスカウント表示部１１、投入メダル枚数表示ランプ１２〜１４、メダル払出枚数表示部１５、貯留枚数表示部１６、遊技メダル投入表示部１７、遊技開始表示部１８、遊技停止表示部１９、再遊技表示部２０および当たり表示部２１が設けられている。
【００１３】
ボーナスカウント表示部１１は、ＢＢゲームやＲＢゲームといったボーナスゲーム入賞時に、このボーナスゲームの残り入賞可能回数をデジタル表示する。投入メダル枚数表示ランプ１２〜１４は、投入されたメダル枚数に応じてそれぞれ対応するランプが点灯する。メダル払出枚数表示部１５は、入賞によるメダル払出枚数を表示する。貯留枚数表示部１６は、機器本体に貯留されてクレジットされているメダルの枚数を表示する。遊技メダル投入表示部１７は、メダルの投入が受付可能なときに点灯する。遊技開始表示部１８は、各リール４〜６が作動可能なときに点灯する。遊技停止表示部１９は、前回の遊技における各リール４〜６の回転から、今回の遊技における各リール４〜６の回転までの時間が４．１秒未満のときなどに点灯する。再遊技表示部２０は、再遊技が作動したときに点灯する。また、当たり表示部２１は、ＢＢゲーム中にＲＢ入賞役が内部当選した遊技終了時などに点灯する。
【００１４】
また、表示窓７〜９の下方左側には、１貯留メダル投入ボタン２２および３貯留メダル投入ボタン２３が設けられている。各貯留メダル投入ボタン２２，２３は、貯留枚数表示部１６にメダル枚数が表示されて機器本体にメダルがクレジットされている際に、メダル投入口１０へのメダル投入に代えて１回のゲームに１枚または３枚のメダルを賭ける際に使用される。
【００１５】
液晶表示パネル３の下方には、左側から、貯留メダル精算ボタン２４、スタートレバー２５、ストップボタン２６，２７，２８、および入力ボタン２９，３０が設けられている。貯留メダル精算ボタン２４は、機器本体にクレジットされているメダルを精算して払い出す際に使用される。スタートレバー２５は、スロットマシン１による遊技動作を開始する際に遊技者によって操作される操作部であり、その操作端は上下左右の４方向に傾倒自在に構成されている。このスタートレバー２５が遊技者に操作されることにより各リール４〜６の回転が一斉に開始する。ストップボタン２６〜２８は、各リール４〜６に対応して配置されており、これら各リール４〜６の回転が一定速度に達したときに操作が有効化され、遊技者の操作に応じて各リール４〜６の回転を停止する。また、入力ボタン２９，３０は、液晶表示パネル３に表示される画面の切り替えや情報入力を行うものである。
【００１６】
また、前面ドア２の正面下部にはメダル受皿３５が設けられている。このメダル受皿３５はメダル払出口３６から払い出されるメダルを貯めるものである。また、前面ドア２の正面上部には、入賞に対してどれだけのメダルが払い出されるかを示す配当表示部３７が設けられており、この配当表示部３７の左右両側には、多数の透音孔が形成された一対のスピーカカバー３８，３８が設けられている。このスピーカカバー３８，３８は、遊技状態に応じて効果音を放出する一対のフロントスピーカ４２，４２（図３参照）の前面を覆うものである。また、配当表示部３７の上側には、遊技状態に応じて点灯して演出を行う電飾ＬＥＤ３９が設けられている。
【００１７】
図２（ａ）は、図１に示すスロットマシン１のキャビネット内部の構造を示す内部構造図である。また、図３は、図１に示すスロットマシン１の前面ドア２の裏側を示す内部構造図である。なお、図２および図３において図１と同一または相当する部分には同一の符号を付してその説明は省略する。
【００１８】
キャビネット内部のほぼ中央部には仕切板５０が設けられており、この仕切板５０の上には、同図（ｂ）に示す、リール４〜６からなる回転リールユニット６０が載置される。回転リールユニット６０の載置部の上方には、スロットマシン１の遊技処理の制御を行うメイン基板５１が設けられている。また、仕切板５０の下方には、入賞時や貯留メダル精算ボタン２４が操作された際に遊技者にメダルを払い出すメダル払出装置（ホッパー）５２が設けられている。ホッパー５２は、上部にメダルを貯蔵するバケット５３を備えており、また、ホッパー５２の右側には、バケット５３とは別にメダルを貯蔵する補助収納庫５４が設けられている。
【００１９】
前面ドア２の裏側には、図３に示すように、メダル投入口１０から投入されたメダルの選別を行い、その投入枚数をカウントするメダルセレクタ４５が設けられている。メダルセレクタ４５によって正規な遊技メダルとして認識されたメダルは、バケット５３へ貯蔵される。また、メダルセレクタ４５により正規な遊技メダルとして認識されなかったメダルは、キャンセルシュート４６によってメダル払出口３６を介して受皿３５へ排出される。
【００２０】
また、図２（ａ）に示すように、仕切板５０の下方のキャビネット背面部には、遊技状態に応じた効果音をフロントスピーカ４２，４２（図３参照）と共に放出する一対のリアスピーカ４０，４０が設けられている。リアスピーカ４０，４０は、図４の分解斜視図に示すように、いずれも、開口部５５ａを有するフレーム５５が振動板（コーン）５７の後面側を覆って構成されており、開口部５５ａが図２に示すようにバケット５３に向けられた状態でバケット５３の上部近傍に設置されている。図２および図４に示すように、フレーム５５には、開口部５５ａを覆う金属製またはプラスチック製の被覆部材５６が設けられている。被覆部材５６はその周囲に複数の脚５６ａを放射状に有しており、開口部５５ａは、各脚５６ａによって覆われることにより、メダルの大きさよりも小さい隙間５８（図２参照）を形成する。また、キャビネット背面部の外側には、図５のスロットマシン１の背面図に示すように、リアスピーカ４０，４０の振動板５７を保護するスピーカカバー４１が、振動板５７の前面を覆うように設けられている。
【００２１】
上記の構成において、スロットマシン１の遊技中、メダルセレクタ４５を通過してからバケット５３内に落下したメダルが、フレーム５５の開口部５５ａに向けて跳ね返ったとしても、メダルは、被覆部材５６が開口部５５ａを覆うことにより形成される隙間５８を通過することができずに跳ね返される。同様に、バケット５３がメダルで満杯のときにバケット５３から溢れ出たメダルがフレーム５５の開口部５５ａに向けて転がっていったときも、メダルは隙間５８を通過することができずに跳ね返される。
【００２２】
また、入賞ライン上にボーナス入賞役などの所定の入賞役が成立すると、電飾ＬＥＤ３９が点灯されると共に、フロントスピーカ４２，４２およびリアスピーカ４０，４０から効果音が放出されて、所定のパターンで演出が行われる。このとき、リアスピーカ４０，４０では、効果音が、振動板５７の前面側、つまり、スロットマシン１の背面側の空間へ放出されると共に、隙間５８を介して振動板５７の後面側、つまり、スロットマシン１の内部側の空間へも放出される。
【００２３】
このような本実施形態によるスロットマシン１によれば、上述したように、メダルが各リアスピーカ４０，４０を構成するフレーム５５の開口部５５ａに跳ね返っても、被覆部材５６が設けられており、しかも、被覆部材５６が開口部５５ａを覆うことにより形成される隙間５８がメダルの大きさよりも小さいため、メダルは被覆部材５６によって跳ね返される。このため、従来のように、バケット５３から跳ね返ったメダルが、フレーム５５の開口部５５ａを介してフレーム５５と振動板５７との間に侵入することがなくなり、リアスピーカ４０，４０からは常に正常な効果音が発生されるようになる。
【００２４】
また、振動板５７から放出される効果音は、被覆部材５６が開口部５５ａを覆うことにより形成される隙間５８から振動板５７の後面側の空間にも放出される。このため、本実施形態によるスロットマシン１によれば、リアスピーカ４０，４０からは常に正常な効果音が振動板５７の前面側および後面側の双方から放出される。
【産業上の利用可能性】
【００２５】
上記の実施形態においては、本発明による遊技機をスロットマシンに適用した場合について説明したが、遊技媒体を貯蔵する貯蔵部と、開口部が貯蔵部に向けられて貯蔵部近傍に設けられたスピーカとを備えた他の遊技機にも、本発明を適用することが可能である。この場合においても、上記の実施形態と同様の作用効果が奏される。
【図面の簡単な説明】
【００２６】
【図１】本発明の一実施形態によるスロットマシンの外観を示す正面図である。
【図２】本発明の一実施形態によるスロットマシンのキャビネット内部の構造を示す内部構造図である。
【図３】本発明の一実施形態によるスロットマシンの前面ドアの裏側を示す内部構造図である。
【図４】図２に示すリアスピーカの構造を示す分解斜視図である。
【図５】本発明の一実施形態によるスロットマシンの外観を示す背面図である。
【符号の説明】
【００２７】
１…スロットマシン
１０…メダル投入口
４０…リアスピーカ
４２…フロントスピーカ
４５…メダルセレクタ
４６…キャンセルシュート
５２…ホッパー
５３…バケット
５５…フレーム
５５ａ…開口部
５６…被覆部材
５６ａ…脚
５７…振動板
５８…隙間
【図１】
2006061531.tif 000003
【図２】
2006061531.tif 000004
【図３】
2006061531.tif 000005
【図４】
2006061531.tif 000006
【図５】
2006061531.tif 000007